(57)【要約】【課題】ディジタル信号処理の計算量を増大させることなく良好な受信特性を得ること。【解決手段】ＡＧＣ部１０２は、ＡＧＣ制御切替部１１０の制御に基づいて利得制御を行う。受信信号レベル測定部１０４は、ＡＧＣ部１０２にて利得制御を行う受信系の受信信号レベルを測定する。ＡＧＣ部１０６は、ＡＧＣ制御切替部１１０の制御に基づいて利得制御を行う。受信信号レベル測定部１０８は、ＡＧＣ部１０６にて利得制御を行う受信系の受信信号レベルを測定する。受信レベル差検出部１０９は、２つの受信系の受信信号レベル差を検出する。ＡＧＣ制御切替部１１０は、受信信号レベル差がしきい値以上でかつ受信信号レベルが大きい方の受信系の受信信号レベルがしきい値以上である場合にＡＧＣ部１０２とＡＧＣ部１０６を個別の利得値にて利得制御し、それ以外の場合にはＡＧＣ部１０２とＡＧＣ部１０６を共通の利得値にて利得制御する。【選択図】      図１
2004274639.tif 000002
【特許請求の範囲】
【請求項１】
複数のアンテナを用いてダイバーシティ受信した各受信信号の受信品質を測定する受信品質測定手段と、前記受信品質測定手段にて測定した受信信号間の前記受信品質を示す測定値の差を検出する受信品質差検出手段と、前記受信品質測定手段にて測定した前記受信品質及び前記受信品質差検出手段にて検出した前記測定値の差に基づいて各受信信号を共通の利得値で利得制御するかまたは受信信号毎に個別の利得値で利得制御するかを選択して切り替える制御切替手段と、を具備することを特徴とする受信装置。
【請求項２】
前記受信品質測定手段は、前記受信品質としての受信信号レベルを測定し、前記受信品質差検出手段は、前記受信信号レベルの差を検出し、前記制御切替手段は、前記受信信号レベルの差が第１しきい値以上でかつ受信信号レベルが最も大きいアンテナにおける受信信号レベルが第２しきい値以上であるものと判断する場合に各アンテナにて受信した受信信号毎に個別の利得値で利得制御し、前記受信信号レベルの差が前記第１しきい値未満の場合または受信信号レベルが最も大きいアンテナにおける受信信号レベルが前記第２しきい値未満の場合には各アンテナにて受信した受信信号を共通の利得値で利得制御するように切り替えることを特徴とする請求項１記載の受信装置。
【請求項３】
前記受信品質測定手段は、前記受信品質としてのキャリア電力に対するノイズ電力の比を測定し、前記受信品質差検出手段は、前記キャリア電力に対するノイズ電力の比の差を検出し、前記制御切替手段は、前記キャリア電力に対するノイズ電力の比の差が第３しきい値以上でかつ前記キャリア電力に対するノイズ電力の比が最も大きい受信信号の前記キャリア電力に対するノイズ電力の比が第４しきい値以上の場合に各アンテナにて受信した受信信号毎に個別の利得値で利得制御し、前記キャリア電力に対するノイズ電力の比の差が前記第３しきい値未満の場合または前記キャリア電力に対するノイズ電力の比が最も大きい受信信号の前記キャリア電力に対するノイズ電力の比が前記第４しきい値未満の場合に各アンテナにて受信した受信信号を共通の利得値で利得制御するように切り替えることを特徴とする請求項１記載の受信装置。
【請求項４】
請求項１から請求項３のいずれかに記載の受信装置を具備することを特徴とする基地局装置。
【請求項５】
請求項１から請求項３のいずれかに記載の受信装置を具備することを特徴とする通信端末装置。
【請求項６】
複数のアンテナを用いてダイバーシティ受信した各受信信号の受信信号レベルを検出するステップと、前記受信信号レベルから前記受信信号間の受信信号レベルの差を検出するステップと、前記受信信号レベル及び前記受信信号レベルの差に基づいて各受信信号を共通の利得値で利得制御するかまたは受信信号毎に個別の利得値で利得制御するかを選択して切り替えるステップと、を具備することを特徴とする自動利得制御方法。
【発明の詳細な説明】
【０００１】
【発明の属する技術分野】
本発明は、受信装置及び自動利得制御方法に関し、特にダイバーシティ受信した受信信号の利得を制御する受信装置及び自動利得制御方法に関する。
【０００２】
【従来の技術】
移動体通信システムにおける携帯電話機等の移動局やこの移動局と無線通信を行う基地局には、フェージング対策として、複数のアンテナと複数の受信系を使用する受信ダイバーシティ装置が備えられている。受信ダイバーシティ方式には一般に、複数の受信系の中で一番大きい受信信号レベルの受信系を基準に全ての受信系を自動利得制御（以下「ＡＧＣ」と記載する）する方式（以下「共通ＡＧＣ」と記載する）と、複数の受信系を個別にＡＧＣする方式（以下「個別ＡＧＣ」と記載する）がある。
【０００３】
共通ＡＧＣ及び個別ＡＧＣは、以下のような欠点がある。
【０００４】
共通ＡＧＣは、ダイバーシティ利得が大きい最大比合成ダイバーシティだが、受信系毎の受信信号レベルの差が大きくてかつ全体の受信信号レベルが大きい時に、小さい受信信号レベルの受信系におけるＡ／Ｄ変換時に量子化誤差が発生し、合成すると受信特性が劣化する。
【０００５】
一方、個別ＡＧＣは、受信系毎の受信信号レベルの差が大きくてかつ全体の受信信号レベルが大きい時にも量子化誤差が発生することなく効果的にダイバーシティ利得を得ることができるが、受信系毎の受信信号レベルの差が大きくかつ全体の受信信号レベルが小さい時に、受信信号レベルが小さい受信系のノイズフロアが増幅してしまうため、受信特性が劣化する。このような問題を解決するために、従来は、個別ＡＧＣを用いて、Ａ／Ｄ変換後に各受信系のＡＧＣ利得を補正する。すなわち、ＡＧＣによって等レベルになった各受信系の相対電力を受信時の相対電力に戻し、その後ダイバーシティ合成する最大比合成を行う（例えば、非特許文献１参照。）。
【０００６】
このようなダイバーシティ受信装置を用いることにより、最大比合成でかつＡ／Ｄ変換時の量子化誤差が大きくなるのを防げるため、ダイバーシティ利得が大きい場合において、受信系ごとの受信信号レベルの差が大きくてかつ全体の受信信号レベルが大きいときにも受信特性が劣化することがなくなる。
【０００７】
【非特許文献１】
望月伸晃，永田健悟，加々見修著、「２００１年電子情報通信学会通信ソサイエティ大会Ｂ−５−１６７」、電子情報通信学会、２００１年３月、ｐ．４５３
【０００８】
【発明が解決しようとする課題】
しかしながら、従来の受信装置及び自動利得制御方法においては、受信系毎の利得補正部においてＡＧＣゲインをログーリニア変換し受信信号を利得補正するために、ディジタル信号処理の計算量が増大するという問題がある。
【０００９】
本発明はかかる点に鑑みてなされたものであり、ディジタル信号処理の計算量を増大させることなく良好な受信特性を得ることができる受信装置及び自動利得制御方法を提供することを目的とする。
【００１０】
【課題を解決するための手段】
本発明の受信装置は、複数のアンテナを用いてダイバーシティ受信した各受信信号の受信品質を測定する受信品質測定手段と、前記受信品質測定手段にて測定した受信信号間の前記受信品質を示す測定値の差を検出する受信品質差検出手段と、前記受信品質測定手段にて測定した前記受信品質及び前記受信品質差検出手段にて検出した前記測定値の差に基づいて各受信信号を共通の利得値で利得制御するかまたは受信信号毎に個別の利得値で利得制御するかを選択して切り替える制御切替手段と、を具備する構成を採る。
【００１１】
この構成によれば、例えば受信品質として受信信号レベルを用いる場合には、各アンテナにて受信した受信信号レベルの大小及びアンテナ間の受信信号レベル差に応じて、各アンテナにて受信した受信信号を共通の利得値で利得制御するか、またはアンテナ毎に個別の利得値で利得制御するかを適宜選択して切り替えるので、各アンテナにおける受信信号レベルの差が大きい場合でも受信特性が劣化することがなく、ＡＧＣ技術とダイバーシティ技術との両立を図ることができ、ディジタル信号処理の計算量を増大させることなく良好な受信特性を得ることができる。
【００１２】
本発明の受信装置は、前記構成において、前記受信品質測定手段は、前記受信品質としての受信信号レベルを測定し、前記受信品質差検出手段は、前記受信信号レベルの差を検出し、前記制御切替手段は、前記受信信号レベルの差が第１しきい値以上でかつ受信信号レベルが最も大きいアンテナにおける受信信号レベルが第２しきい値以上であるものと判断する場合に各アンテナにて受信した受信信号毎に個別の利得値で利得制御し、前記受信信号レベルの差が前記第１しきい値未満の場合または受信信号レベルが最も大きいアンテナにおける受信信号レベルが前記第２しきい値未満の場合には各アンテナにて受信した受信信号を共通の利得値で利得制御するように切り替える構成を採る。
【００１３】
この構成によれば、前記効果に加えて、各アンテナにおける受信信号レベル差が第１しきい値以上で且つ受信信号レベルが最も大きいアンテナにおける受信信号レベルが第２しきい値以上であるか否かに基づいて各アンテナにて受信した受信信号を共通の利得値にて利得制御するか個別の利得値にて利得制御するかを適宜選択して切り替えるので、簡単な方式にて個別の利得値による利得制御と共通の利得値による利得制御を切り替えることができる。
【００１４】
本発明の受信装置は、前記構成において、前記受信品質測定手段は、前記受信品質としてのキャリア電力に対するノイズ電力の比を測定し、前記受信品質差検出手段は、前記キャリア電力に対するノイズ電力の比の差を検出し、前記制御切替手段は、前記キャリア電力に対するノイズ電力の比の差が第３しきい値以上でかつ前記キャリア電力に対するノイズ電力の比が最も大きい受信信号の前記キャリア電力に対するノイズ電力の比が第４しきい値以上の場合に各アンテナにて受信した受信信号毎に個別の利得値で利得制御し、前記キャリア電力に対するノイズ電力の比の差が前記第３しきい値未満の場合または前記キャリア電力に対するノイズ電力の比が最も大きい受信信号の前記キャリア電力に対するノイズ電力の比が前記第４しきい値未満の場合に各アンテナにて受信した受信信号を共通の利得値で利得制御するように切り替える構成を採る。
【００１５】
この構成によれば、前記効果に加えて、キャリア電力に対するノイズ電力の比に基づいて各アンテナにて受信した受信信号のレベルを共通の利得値で利得制御するか、またはアンテナ毎に個別の利得値で利得制御するかを選択して切り替えるので、キャリア電力に対するノイズ電力の比の差が大きい場合に共通の利得値で利得制御することにより低いレベルのキャリア電力が量子化誤差ノイズに埋もれてしまうこと及び個別の利得値で利得制御することによりノイズレベルが誤って増幅されてしまうことを防ぐことができる。
【００１６】
本発明の基地局装置は、上記のいずれかに記載の受信装置を具備する構成を採る。
【００１７】
この構成によれば、例えば移動中の通信端末装置から送信された信号をダイバーシティ受信した際に、各アンテナにて受信した受信信号を共通の利得値で利得制御するか、またはアンテナ毎に個別の利得値で利得制御するかを選択して切り替えるので、各アンテナにおける受信信号レベル差が大きい場合でも受信特性が劣化することがないとともに、マルチパスフェージングによる影響を極力少なくすることができてＡＧＣ技術とダイバーシティ技術との両立を図ることができ、ディジタル信号処理の計算量を増大させることなく良好な受信特性を得ることができる。
【００１８】
本発明の通信端末装置は、上記のいずれかに記載の受信装置を具備する構成を採る。
【００１９】
この構成によれば、例えば基地局装置から送信された信号を移動しながらダイバーシティ受信した際に、各アンテナにて受信した受信信号を共通の利得値で利得制御するか、またはアンテナ毎に個別の利得値で利得制御するかを選択して切り替えるので、各アンテナにおける受信信号レベル差が大きい場合でも受信特性が劣化することがないとともに、マルチパスフェージングによる影響を極力少なくすることができてＡＧＣ技術とダイバーシティ技術との両立を図ることができ、ディジタル信号処理の計算量を増大させることなく良好な受信特性を得ることができる。
【００２０】
本発明の自動利得制御方法は、複数のアンテナを用いてダイバーシティ受信した各受信信号の受信信号レベルを検出するステップと、前記受信信号レベルから前記受信信号間の受信信号レベルの差を検出するステップと、前記受信信号レベル及び前記受信信号レベルの差に基づいて各受信信号を共通の利得値で利得制御するかまたは受信信号毎に個別の利得値で利得制御するかを選択して切り替えるステップと、を具備するようにした。
【００２１】
この方法によれば、各アンテナの受信信号レベルに応じて、各アンテナにて受信した受信信号を共通の利得値で利得制御するか、またはアンテナ毎に個別の利得値で利得制御するかを選択して切り替えるので、各アンテナにおける受信信号レベル差が大きい場合でも受信特性が劣化することがなく、ＡＧＣ技術とダイバーシティ技術との両立を図ることができ、ディジタル信号処理の計算量を増大させることなく良好な受信特性を得ることができる。
【００２２】
【発明の実施の形態】
本発明の骨子は、各アンテナの受信信号レベル及び受信信号レベル差に基づいて各受信信号を共通の利得値で利得制御するかまたは受信信号毎に個別の利得値で利得制御するかを選択して切り替えることである。
【００２３】
以下、本発明の実施の形態について、図面を参照して詳細に説明する。
【００２４】
（実施の形態１）
図１は、本発明の実施の形態１に係る受信装置１００の構成を示すブロック図である。
【００２５】
図１に示すように、受信装置１００は、アンテナ１０１、ＡＧＣ部１０２、Ａ／Ｄ変換部１０３、受信信号レベル測定部１０４、アンテナ１０５、ＡＧＣ部１０６、Ａ／Ｄ変換部１０７、受信信号レベル測定部１０８、受信レベル差検出部１０９、ＡＧＣ制御切替部１１０及び合成部１１１を具備する。
【００２６】
アンテナ１０１、ＡＧＣ部１０２、Ａ／Ｄ変換部１０３及び受信信号レベル測定部１０４は第１受信系を構成している。また、アンテナ１０５、ＡＧＣ部１０６、Ａ／Ｄ変換部１０７及び受信信号レベル測定部１０８は第２受信系を構成している。
【００２７】
ＡＧＣ部１０２の入力端子は、アンテナ１０１の出力端子及びＡＧＣ制御切替部１１０の出力端子に接続されている。Ａ／Ｄ変換部１０３の入力端子は、ＡＧＣ部１０２の出力端子に接続されている。受信信号レベル測定部１０４の入力端子は、アンテナ１０１の出力端子とＡＧＣ部１０２の入力端子との間に接続されている。ＡＧＣ部１０６の入力端子は、アンテナ１０５の出力端子とＡＧＣ制御切替部１１０の出力端子に接続されている。Ａ／Ｄ変換部１０７の入力端子は、ＡＧＣ部１０６の出力端子に接続されている。受信信号レベル測定部１０８の入力端子は、アンテナ１０５の出力端子とＡＧＣ部１０６の入力端子との間に接続されている。受信レベル差検出部１０９の入力端子は、受信信号レベル測定部１０４の出力端子とＡＧＣ制御切替部１１０の入力端子との間に接続されているとともに、受信信号レベル測定部１０８の出力端子とＡＧＣ制御切替部１１０の入力端子との間に接続されている。ＡＧＣ制御切替部１１０の入力端子は、ＡＧＣ部１０２、１０６の出力端子、受信信号レベル測定部１０４、１０８の出力端子、受信レベル差検出部１０９の出力端子及びしきい値設定部（図示省略）の出力端子に接続されている。合成部１１１の入力端子は、Ａ／Ｄ変換部１０３、１０７の出力端子に接続されている。
【００２８】
ＡＧＣ部１０２は、ＡＧＣ制御切替部１１０によってマスターモードとスレーブモードのどちらかのモードに制御される。ＡＧＣ部１０２は、マスターモードの場合には、アンテナ１０１からの受信レベルによって自律的にＡＧＣをかけて利得値をＡＧＣ制御切替部１１０へ出力する。また、ＡＧＣ部１０２は、スレーブモードの場合には、ＡＧＣ制御切替部１１０から指示されたＡＧＣ部１０６と同じ利得値でＡＧＣをかける。そしてＡＧＣ部１０２は、それぞれのモードでアンテナ１０１から入力された受信信号にＡＧＣをかけてＡ／Ｄ変換部１０３へ出力する。
【００２９】
Ａ／Ｄ変換部１０３は、ＡＧＣ部１０２から入力した受信信号をＡ／Ｄ変換して合成部１１１へ出力する。
【００３０】
受信品質測定手段である受信信号レベル測定部１０４は、アンテナ１０１から入力した受信信号のレベルを検出して受信レベル差検出部１０９及びＡＧＣ制御切替部１１０へ出力する。
【００３１】
ＡＧＣ部１０６は、ＡＧＣ制御切替部１１０によってマスターモードとスレーブモードのどちらかのモードに制御される。ＡＧＣ部１０６は、マスターモードの場合には、アンテナ１０５からの受信レベルによって自律的にＡＧＣをかけて利得値をＡＧＣ制御切替部１１０へ出力する。ＡＧＣ部１０６は、スレーブモードの場合には、ＡＧＣ制御切替部１１０から指示されたＡＧＣ部１０２と同じ利得値でＡＧＣをかける。そしてＡＧＣ部１０６は、それぞれのモードでアンテナ１０５から入力された受信信号にＡＧＣをかけてＡ／Ｄ変換部１０７へ出力する。
【００３２】
Ａ／Ｄ変換部１０７は、ＡＧＣ部１０６から入力した受信信号をＡ／Ｄ変換して合成部１１１へ出力する。
【００３３】
受信品質測定手段である受信信号レベル測定部１０８は、アンテナ１０５から入力した受信信号のレベルを検出して受信レベル差検出部１０９及びＡＧＣ制御切替部１１０へ出力する。
【００３４】
合成部１１１は、Ａ／Ｄ変換部１０３から入力した受信信号とＡ／Ｄ変換部１０７から入力した受信信号とをダイバーシティ合成して出力する。なお、合成部１１１から出力された受信信号は、図示しない復調部にて復調されて図示しない復号化部にて復号化されることにより所望の受信データとなる。
【００３５】
受信品質差検出手段である受信レベル差検出部１０９は、受信信号レベル測定部１０４から入力した受信信号レベルと受信信号レベル測定部１０８から入力した受信信号レベルより、第１受信系と第２受信系との受信信号レベルの差を検出してＡＧＣ制御切替部１１０へ出力する。
【００３６】
制御切替手段であるＡＧＣ制御切替部１１０は、受信レベル差検出部１０９から入力した受信信号レベルの差がしきい値未満の場合または受信レベル差検出部１０９から入力した受信信号レベルの差がしきい値以上でかつ受信信号レベルが大きい方の第１受信系若しくは第２受信系の受信信号レベルが所定のしきい値未満の場合には、受信信号レベルが大きい方の第１受信系のＡＧＣ部１０２または第２受信系のＡＧＣ部１０６をマスターモードにし、受信信号レベルが小さい方の第１受信系のＡＧＣ部１０２または第２受信系のＡＧＣ部１０６をスレーブモードにし、共通ＡＧＣを行うようにＡＧＣ部１０２とＡＧＣ部１０６を制御する。一方、ＡＧＣ制御切替部１１０は、受信レベル差検出部１０９から入力した受信信号レベルの差が所定のしきい値以上でかつ受信信号レベルが大きい方の第１受信系若しくは第２受信系の受信信号レベルが所定のしきい値以上であるときには、ＡＧＣ部１０２とＡＧＣ部１０６の両方ともマスターモードにし、個別ＡＧＣを行うようにＡＧＣ部１０２とＡＧＣ部１０６を制御する。
【００３７】
次に、受信装置１００の動作について、図２を用いて説明する。
【００３８】
最初に、受信信号レベル測定部１０４及び受信信号レベル測定部１０８は、それぞれアンテナ１０１及びアンテナ１０５で受信した受信信号の受信信号レベルを求める（ステップＳＴ２０１）。
【００３９】
次に、ＡＧＣ制御切替部１１０は、受信レベル差検出部１０９で検出した第１受信系の受信信号レベルと第２受信系の受信信号レベルとの受信信号レベルの差が、所定のしきい値α（第１しきい値）以上であるか否かを判定する（ステップＳＴ２０２）。
【００４０】
受信レベル差検出部１０９にて検出した受信信号レベルの差がしきい値α以上である場合には、受信信号レベルが大きい第１受信系または第２受信系の受信信号レベルがしきい値β（第２しきい値）以上であるか否かを判定する（ステップＳＴ２０３）。
【００４１】
そして、受信信号レベルが大きい第１受信系または第２受信系のいずれか一方の受信信号レベルがしきい値β以上である場合には、ＡＧＣ制御切替部１１０は、個別ＡＧＣにする制御を行う（ステップＳＴ２０４）。
【００４２】
ステップＳＴ２０３において、受信信号レベルが大きい第１受信系または第２受信系のいずれか一方の受信信号レベルがしきい値β未満である場合には、ＡＧＣ制御切替部１１０は、共通ＡＧＣにする制御を行う（ステップＳＴ２０５）。
【００４３】
一方、ステップＳＴ２０２において、受信信号レベル差検出部１０９で検出した第１受信系の受信信号レベルと第２受信系の受信信号レベルとの受信信号レベルの差がしきい値α未満である場合には、ＡＧＣ制御切替部１１０は、共通ＡＧＣにする制御を行う（ステップＳＴ２０５）。
【００４４】
次に、Ａ／Ｄ変換部１０３及びＡ／Ｄ変換部１０７は、共通ＡＧＣまたは個別ＡＧＣした受信信号をＡ／Ｄ変換する（ステップＳＴ２０６）。
【００４５】
次に、合成部１１１は、Ａ／Ｄ変換された受信信号をダイバーシティ合成する（ステップＳＴ２０７）。
【００４６】
このように、本実施の形態１では、ＡＧＣ制御切替部は、各アンテナの受信信号レベル差及び受信信号レベルが大きい方の受信系の受信信号レベルに応じて共通ＡＧＣにするかまたは個別ＡＧＣにするかを選択して切り替えることとした。これにより、個別ＡＧＣを選択する場合は、各受信系間の受信信号レベル差が大きくてかつ受信信号レベルが大きい方の受信系の受信信号レベルが大きいときに、受信信号レベルが小さい方の受信系のＡ／Ｄ変換時における量子化誤差を小さくすることができることにより受信特性の劣化を防ぐことができる。また、共通ＡＧＣを選択する場合は、各受信系の受信信号レベルの差が大きくて受信系全体の受信信号レベルが小さいときに受信信号レベルが小さい受信系のノイズレベルを増幅してしまうことによる受信特性の劣化を防ぐことができてダイバーシティ利得を大きくすることができる。これにより、ＡＧＣ技術とダイバーシティ技術との両立を図ることができ、ディジタル信号処理の計算量を増大させることなく良好な受信特性を得ることができる。
【００４７】
（実施の形態２）
図３は、本発明の実施の形態２に係る受信装置３００の構成を示すブロック図である。
【００４８】
本実施の形態２に係る受信装置３００は、図１に示す実施の形態１に係る受信装置１００において、図３に示すように、受信信号レベル測定部１０４、受信信号レベル測定部１０８及び受信レベル差検出部１０９を除き、キャリア電力に対するノイズ電力の比（以下「ＣＮＲ」と記載する）測定部３０１、ＣＮＲ測定部３０２及びＣＮＲ差検出部３０３を追加し、ＡＧＣ制御切替部１１０の代わりにＡＧＣ制御切替部３０４を有する。なお、実施の形態２においては、実施の形態１と同一構成である部分には同一の符号を付してその説明は省略する。
【００４９】
アンテナ１０１、ＡＧＣ部１０２、Ａ／Ｄ変換部１０３及びＣＮＲ測定部３０１は第１受信系を構成している。また、アンテナ１０５、ＡＧＣ部１０６、Ａ／Ｄ変換部１０７及びＣＮＲ測定部３０２は第２受信系を構成している。
【００５０】
ＡＧＣ部１０２の入力端子は、アンテナ１０１の出力端子とＡＧＣ制御切替部３０４の出力端子に接続されている。ＡＧＣ部１０６の入力端子は、アンテナ１０５の出力端子とＡＧＣ制御切替部３０４の出力端子に接続されている。ＣＮＲ測定部３０１の入力端子は、Ａ／Ｄ変換部１０３の出力端子と合成部１１１の入力端子との間に接続されている。ＣＮＲ測定部３０２の入力端子は、Ａ／Ｄ変換部１０７の出力端子と合成部１１１の入力端子との間に接続されている。ＡＧＣ制御切替部３０４の入力端子は、ＡＧＣ部１０２、１０６の出力端子、ＣＮＲ測定部３０１、３０２の出力端子、ＣＮＲ差検出部３０３の出力端子及びしきい値設定部（図示省略）の出力端子に接続されている。
【００５１】
受信品質測定手段であるＣＮＲ測定部３０１は、Ａ／Ｄ変換部１０３より入力した受信信号よりＣＮＲを求めてＣＮＲ差検出部３０３及びＡＧＣ制御切替部３０４へ出力する。
【００５２】
受信品質測定手段であるＣＮＲ測定部３０２は、Ａ／Ｄ変換部１０７より入力した受信信号よりＣＮＲを求めてＣＮＲ差検出部３０３及びＡＧＣ制御切替部３０４へ出力する。
【００５３】
受信品質差検出手段であるＣＮＲ差検出部３０３は、ＣＮＲ測定部３０１とＣＮＲ測定部３０２から入力したＣＮＲの測定結果より、第１受信系と第２受信系との間のＣＮＲの差を求めてＡＧＣ制御切替部３０４へ出力する。
【００５４】
ＡＧＣ制御切替部３０４は、ＣＮＲ差検出部３０３から入力したＣＮＲ差がしきい値未満の場合またはＣＮＲ差検出部３０３から入力したＣＮＲ差がしきい値以上でありかつＣＮＲが大きい方の第１受信系または第２受信系のＣＮＲが所定のしきい値未満の場合には、ＣＮＲが大きい第１受信系または第２受信系のいずれか一方のＡＧＣ部１０２またはＡＧＣ部１０６をマスターモードにし、他方をスレーブモードにして共通ＡＧＣを行うようにＡＧＣ部１０２とＡＧＣ部１０６を制御する。一方、ＡＧＣ制御切替部３０４は、ＣＮＲ差検出部３０３から入力したＣＮＲ差が所定のしきい値以上でかつＣＮＲが大きい方の第１受信系または第２受信系のＣＮＲが所定のしきい値以上であるときには、ＡＧＣ部１０２とＡＧＣ部１０６のいずれもマスターモードにし、個別ＡＧＣを行うようにＡＧＣ部１０２とＡＧＣ部１０６を制御する。
【００５５】
次に、受信装置３００の動作について、図４を用いて説明する。
【００５６】
最初に、ＣＮＲ測定部３０１及びＣＮＲ測定部３０２は、それぞれアンテナ１０１及びアンテナ１０５で受信した受信信号のＣＮＲレベルを求める（ステップＳＴ４０１）。
【００５７】
次に、ＡＧＣ制御切替部３０４は、ＣＮＲ差検出部３０３で検出した第１受信系と第２受信系との間のＣＮＲの差が、所定のしきい値α（第３しきい値）以上であるか否かを判定する（ステップＳＴ４０２）。
【００５８】
第１受信系と第２受信系との間のＣＮＲの差がしきい値α以上である場合には、ＣＮＲが大きい第１受信系または第２受信系のいずれか一方のＣＮＲがしきい値β（第４しきい値）以上であるか否かを判定する（ステップＳＴ４０３）。
【００５９】
そして、ＣＮＲが大きい第１受信系または第２受信系のいずれか一方のＣＮＲがしきい値β以上である場合には、ＡＧＣ制御切替部３０４は、個別ＡＧＣにする制御を行う（ステップＳＴ４０４）。
【００６０】
ステップＳＴ４０３において、ＣＮＲが大きい第１受信系または第２受信系のいずれか一方のＣＮＲがしきい値β未満である場合には、ＡＧＣ制御切替部３０４は、共通ＡＧＣにする制御を行う（ステップＳＴ４０５）。
【００６１】
一方、ステップＳＴ４０２において、ＣＮＲ差検出部３０３で検出した第１受信系と第２受信系との間のＣＮＲの差がしきい値α未満である場合には、ＡＧＣ制御切替部３０４は、共通ＡＧＣにする制御を行う（ステップＳＴ４０５）。
【００６２】
次に、Ａ／Ｄ変換部１０３及びＡ／Ｄ変換部１０７は、個別の条件または同一の条件でＡＧＣした受信信号をＡ／Ｄ変換する（ステップＳＴ４０６）。
【００６３】
次に、合成部１１１は、Ａ／Ｄ変換された受信信号をダイバーシティ合成する（ステップＳＴ４０７）。
【００６４】
このように、本実施の形態２では、ＡＧＣ制御切替部は、ＣＮＲの差及びＣＮＲが大きい方のＣＮＲに応じて共通ＡＧＣにするかまたは個別ＡＧＣにするかを選択して切り替えることとした。これにより、個別ＡＧＣを選択する場合は、各受信系間のＣＮＲの差が大きくてかつＣＮＲが大きい方の受信系のＣＮＲが大きいときに、ＣＮＲが小さい方の受信系のＡ／Ｄ変換時における量子化誤差を小さくすることができることにより受信特性の劣化を防ぐことができる。また、共通ＡＧＣを選択する場合は、各受信系のＣＮＲの差が大きくて受信系全体のＣＮＲが小さいときにＣＮＲが小さい受信系の受信特性を劣化させることなくダイバーシティ利得を大きくすることができる。これにより、ＡＧＣ技術とダイバーシティ技術との両立を図ることができ、ディジタル信号処理の計算量を増大させることなく良好な受信特性を得ることができる。また、本実施の形態２によれば、キャリア電力に対してノイズ電力が大きい時に誤ってノイズレベルを大きくしてしまうことを防ぐことができる。
【００６５】
なお、上記実施の形態１及び実施の形態２においては、２本のアンテナを用いてダイバーシティ受信することとしたが、これに限らず、３本以上のアンテナを用いてダイバーシティ受信するようにしても良い。また、上記実施の形態１及び実施の形態２においては、受信信号レベルまたはＣＮＲを用いて個別ＡＧＣの制御と共通ＡＧＣの制御を切り替えることとしたが、これに限らず、受信信号レベルとＣＮＲ以外の情報を用いて個別ＡＧＣの制御と共通ＡＧＣの制御を切り替えるようにしても良い。
【００６６】
【発明の効果】
以上説明したように、本発明によれば、ディジタル信号処理の計算量を増大させることなく良好な受信特性を得ることができる。
【図面の簡単な説明】
【図１】本発明の実施の形態１に係る受信装置の構成を示すブロック図
【図２】本発明の実施の形態１に係る受信装置の動作を示すフロー図
【図３】本発明の実施の形態２に係る受信装置の構成を示すブロック図
【図４】本発明の実施の形態２に係る受信装置の動作を示すフロー図
【符号の説明】
１０１、１０５  アンテナ
１０２、１０６  ＡＧＣ部
１０３，１０７  Ａ／Ｄ変換部
１０４、１０８  受信信号レベル測定部
１０９  受信信号レベル差検出部
１１０、３０４  ＡＧＣ制御切替部
１１１  合成部
３０１，３０２  ＣＮＲ測定部
３０３  ＣＮＲ差検出部
【図１】
2004274639.tif 000003
【図２】
2004274639.tif 000004
【図３】
2004274639.tif 000005
【図４】
2004274639.tif 000006